(57)【要約】【課題】手洗水の吐水箇所を認識し易くすると共に、バックガードに付着した手洗水に基づく汚れによる外観低下を回避できる手洗装置を提供する。【解決手段】手洗水を受けるボウル部２とボウル部２の後部に立設して手洗いの際の水跳ねを受けるバックガード３とを備える手洗装置１である。バックガード３の前面に筒状突出部４を前方に向けてバックガード３と一体に突設する。筒状突出部４内に手洗水供給管５を配管する。手洗水を吐水する吐水口６を筒状突出部４の突出先端部に設ける。【選択図】図１
2008237616.tif 000002
【特許請求の範囲】
【請求項１】
ボウル部とボウル部の後部に立設して手洗いの際の水跳ねを受けるバックガードとを備える手洗装置であって、バックガードの前面に筒状突出部を前方に向けてバックガードと一体に突設すると共にこの筒状突出部内に手洗水供給管を配管し、手洗水を吐水する吐水口を筒状突出部の突出先端部に設けたことを特徴とする手洗装置。
【請求項２】
手洗水供給管の先端を筒状突出部の突出先端よりも前方に突出させたことを特徴とする請求項１記載の手洗装置。
【発明の詳細な説明】
【技術分野】
【０００１】
本発明は、手洗装置に関するものである。
【背景技術】
【０００２】
トイレルーム２０などに設置されて用便後の使用者に手を洗わせるための手洗装置１としては、従来からたとえば図４のようなものが知られている（たとえば特許文献１参照）。この手洗装置１は手洗水を受けるボウル部２とボウル部２の後部に立設して手洗いの際の水跳ねを受けるバックガード３とを備えており、バックガード３に貫通孔２１を穿設し、この貫通孔２１を通してバックガード３の前方に手洗水供給管５を突出し、手洗水供給管５の先端の吐水口６から手洗水を吐水させるようにしている。
【０００３】
しかしながら、この手洗装置１にあっては、手洗いの際の水跳ねなどによりバックガード３に付着した手洗水がバックガード３から突出する手洗水供給管５の突出根元部で滞留し、しかもこの手洗水供給管５の突出根元部には貫通孔２１との隙間もあって、上記滞留する手洗水は隙間に入り込んで水垢やカビなどを生じさせ易く、またこの貫通孔２１と手洗水供給管５との隙間は掃除をしても水垢やカビを除去しにくいのであり、つまり経年的にはこの部位が黒ずんだりして手洗装置１に汚い外観を現出させてしまう、という問題があった。
【０００４】
また、従来、手洗装置１には図５のようなものも知られる（たとえば特許文献２参照）。この手洗装置１は、バックガード３の幅方向に亙る上端部に突出部２２を前方に突設し、突出部２２内に手洗水供給管５を配管し、突出部２２に設けた吐水孔２３から手洗水供給管５からの手洗水を吐水させるようにしたものである。つまり、この手洗装置１ではバックガード３の一部から前方に突出する突起状部位Ｂが無く、上述したバックガード３に付着した手洗水が滞留して汚れる恐れを低減できたものである。
【０００５】
しかしながら、この手洗装置１にあっては、バックガード３の一部から前方に突出する突起状部位Ｂが無いため、使用者に対して手洗水の吐水箇所が認識されにくい、という欠点があった。すなわち、手洗装置１では図４のようにバックガード３の一部から前方に突出する突起状部位Ｂとしての手洗水供給管５の先端の吐水口６によって吐水箇所が構成されるのが一般的であり、図５の手洗装置１のようにバックガード３の幅方向に亙って前方に突出する突出部２２に穿設した吐水孔２３を一目みて即座に手洗水の吐水箇所と認識できる使用者はほとんどいないのであり、つまり手洗装置１の使用者にその使用の際に不安を生じさせてしまう、という新たな問題を生じさせることとなっていた。
【特許文献１】特開２００１−１６９９４０号公報
【特許文献２】特開２００２−３４５６６２号公報
【発明の開示】
【発明が解決しようとする課題】
【０００６】
本発明は上記の点に鑑みてなされたものであり、その目的とするところは、手洗水の吐水箇所を認識し易くすると共に、バックガードに付着した手洗水に基づく汚れによる外観低下を回避できる手洗装置を提供することを課題とするものである。
【課題を解決するための手段】
【０００７】
上記課題を解決するために請求項１に係る手洗装置１にあっては、ボウル部２とボウル部２の後部に立設して手洗いの際の水跳ねを受けるバックガード３とを備える手洗装置１であって、バックガード３の前面に筒状突出部４を前方に向けてバックガード３と一体に突設すると共にこの筒状突出部４内に手洗水供給管５を配管し、手洗水を吐水する吐水口６を筒状突出部４の突出先端部に設けたことを特徴とする。これによると、バックガード３の前面から前方に突設された筒状突出部４によって、従来より手洗水の吐水箇所として認識され易いバックガード３の一部から前方に突出する突起状部位Ｂを形成することができ、しかもこの筒状突出部４はバックガード３と一体に突設されているので、バックガード３に付着した手洗水が筒状突出部４の突出根元部に滞留して水垢などを生じさせたりしても、上記筒状突出部４の突出根元部には滞留した手洗水が入り込むような部材間の隙間は無くて水垢などは除去し易いのであり、したがって、バックガード３に付着した手洗水に基づく汚れによる手洗装置１の外観低下の恐れを回避できるのである。
【０００８】
また、請求項２に係る手洗装置１にあっては、請求項１において、筒状突出部４及び手洗水供給管５をそれぞれ突出先端側ほど下方に位置するように配設し、手洗水供給管５の先端を筒状突出部４の突出先端よりも前方に突出させたことを特徴とする。これによると、手洗水の吐水切れの悪さなどで手洗水供給管５から手洗水が液垂れしても、この液垂れした手洗水を筒状突出部４に至らしめず手洗水供給管５の突出先端からボウル部２に滴り落とすようにできるのであり、手洗水に基づく汚れを生じにくくできて手洗装置１の外観低下の恐れを回避できるのである。
【発明の効果】
【０００９】
本発明にあっては、手洗水の吐水箇所を認識し易くすると共に、バックガードに付着した手洗水に基づく汚れによる手洗装置の外観低下を回避できる、という利点を有する。
【発明を実施するための最良の形態】
【００１０】
以下、本発明を添付図面に示す実施形態に基いて説明する。
【００１１】
手洗装置１は、図２のように手洗空間Ａの下方に位置して手洗水を受けるボウル部２とボウル部２の後部に立設して手洗いの際の水跳ねを受ける鉛直壁状のバックガード３とを備えて構成されており、たとえば用便後の使用者に手を洗わせる目的でトイレルーム２０の側壁２０ａに沿わせるようにして設置される。ここで、手洗空間Ａは手を洗うための空間であって、ボウル部２の内部空間を含むバックガード３の前方空間である。
【００１２】
詳しくは、本例の手洗装置１では、ボウル部２とバックガード３とは樹脂製であって一体に形成されており、ボウル部２はキャビネット７に載設支持されており、バックガード３の上には鏡８が略面一となるように連続して配設されている。なお、ボウル部２は手洗水の排水の為の排水孔９を開設した底壁１０を有し、連続する前壁部１１ａ、後壁部１１ｂ及び両側壁１１ｃで成る周壁１１が底壁１０の周縁から立設されて形成されている。また、バックガード３は、手洗空間Ａに臨む鉛直壁状の前面壁３ａで主体が構成され、この前面壁３ａの上縁から上面壁３ｂが、前面壁３ａの両側縁から側面壁３ｃがそれぞれ後方へ延出されており、前面壁３ａと上面壁３ｂと側面壁３ｃとで囲繞されて後方に開口せるバックガード背部空間１２を有する。
【００１３】
ここで、バックガード３の幅方向及び高さ方向の略中央部には筒状突出部４が前方に向けてバックガード３と一体に突設されている。詳しくは、筒状突出部４は、鉛直で面一状のバックガード３の前面から斜め下前方に突出して側面視で略三角形状に形成されており、内部が中空にされた筒状突出部内空間１３を有している。つまり、筒状突出部４はバックガード３の一部（幅方向にも亙らず上下方向にも亙らない一部の部位）から前方に突出する突起状部位Ｂとなっている。筒状突出部４の突出先端面４ａは、ボウル部２の底壁１０や前壁部１１ａに対面するように斜め前下方に向いて形成されており、幅方向に比べて上下寸法が長い略長円形状に形成されている。また、筒状突出部内空間１３は上記バックガード背部空間１２に連通している。
【００１４】
図１のように、筒状突出部内空間１３には手洗水を供給する手洗水供給管５や手洗空間Ａに差し入れた手を検知する手検知センサ１５が配設される。ここで、手洗水供給管５は、手洗装置１を沿わせるトイレルーム２０の側壁２０ａ内またはバックガード背部空間１２に配管されるのであって、その末端部が筒状突出部内空間１３に配管される。筒状突出部４の突出先端面４ａには内外に貫通する一対の開孔１４ａ，１４ｂが上下に並べて穿設されている。上側の開孔１４ａには、手洗水供給管５の末端が接続されて手洗水供給管５の先端を構成する吐水口金６ａが手洗空間Ａに臨んで配設されており、下側の開孔１４ｂには、手検知センサ１５の投受光部が手洗空間Ａに臨んで配設されている。詳しくは、吐水口金６ａは、手洗水供給管５の吐水口６を構成し、筒状突出部４の突出先端面４ａよりも前方に突出するようにして貫通孔１４ａに固定されている。
【００１５】
手洗水供給管５の先端（吐水口金６ａ）から吐水された手洗い手洗水は、バックガード３の前方の手洗空間Ａを通ってボウル部２内で受けられて底壁１０の排水孔９から排水される。ここで、手洗水は、手検知センサ１５により手洗空間Ａに差し入れた手を検知したときに、手洗水供給管５の吐水口６から吐水されるように制御される。なお、図示はしないが、手洗水の吐水・停止制御は手洗水供給管５に設けた開閉弁で成る水栓によって行われる。
【００１６】
また、図３のように、本例のバックガード３の背部側（バックガード背部空間１２）には照明装置１６が防水性を確保して配設されている。照明装置１６は基板１７に発光部１８を設けて構成されるのであるが、本例の照明装置１６は環状に形成された基板１７の前面に多数のＬＥＤで成る発光部１８が周方向に等間隔に配設されている。そして、この照明装置１６は筒状突出部４の周囲に発光部１８が廻るようにバックガード背部空間１２に配設されている。このとき、環状の基板１７の内孔１７ａには筒状突出部４に至る手洗水供給管５が挿通されるのであり、つまり、基板１７を環状にしたことで手洗水供給管５を回避可能にしてある。また、発光部１８に対向するバックガード３の前面壁３ａの部位は透光性を有するように形成されており、発光部１８からの光を透過させてこの透過光で、手洗空間Ａを照らすと共に、手洗水の吐水箇所となる筒状突出部４をその周囲から影をつくることなく浮かび上がらせるように照らすことができるようにされている。したがって、明るい手洗空間Ａで手洗いを行うことができると共に、手洗水の吐水箇所を使用者に容易に認識させ得るようになっている。
【００１７】
なお、バックガード３の前面壁３ａの発光部１８に対向する部位を、比較的薄手にしたり、半透光性材料を用いて形成させたりして、半透光性を備えさせると、発光部１８からの発光した光の一部を透過させてこの透過光でぼんやりと手洗空間Ａや手洗水の吐水箇所を照らすようにできる。したがって、深夜に手洗いをする際に直接光を見ないで済むために眩しさにより目がくらむこともなくなり、手洗装置１に良好な使い勝手を確保することができると共に、照明装置１６をバックガード３で隠匿できて手洗装置１にすっきりとしたシンプルな外観を確保することができる。また、本例の照明装置１６は手検知センサ１５の手の検知時に照明光を照射するように制御されているが、トイレルーム２０への使用者の入室を検知する入室センサを設けた場合にはこの入室センサの入室検知により照明光を照射するように制御してもよく、この場合には手洗いをする前に手洗水の吐水箇所や手洗空間Ａを光で示すことができて手洗装置１の使い勝手を向上できる。
【００１８】
本例の手洗装置１にあっては、上述のようにバックガード３の前面から前方に突設された筒状突出部４によって、従来より手洗水の吐水箇所として認識され易いバックガード３の一部から前方に突出する突起状部位Ｂを形成することができたものであり、手洗装置１を初めて使用する使用者にとっても手洗水の吐水箇所を容易に認識させることができ、手洗装置１の使用の際に不安を生じさせてしまう恐れが回避されているのである。しかも、この筒状突出部４はバックガード３と一体に突設されているので、バックガード３に付着した手洗水が筒状突出部４の突出根元部に滞留して水垢などを生じさせたりしても、上記筒状突出部４の突出根元部には滞留した手洗水が入り込むような部材間の隙間は無くて水垢などは除去し易いものとでき、つまり、バックガード３に付着した手洗水に基づく汚れによる手洗装置１の外観低下の恐れが回避されているのである。
【００１９】
また、筒状突出部４及び手洗水供給管５がそれぞれ突出先端側ほど下方に位置するように配設され、手洗水供給管５の先端（吐水口金６ａ）が筒状突出部４の突出先端よりも前方に突出されているので、手洗水の吐水切れの悪さなどで手洗水供給管５の突出先端から手洗水が液垂れしても、この液垂れした手洗水を筒状突出部４に至らしめずに、ボウル部２に直接滴り落とすようにできるのであり、この点でも手洗水に基づく汚れを生じにくくできて手洗装置１の外観低下の恐れが回避されているのである。更に言うと、筒状突出部４の突出先端から前方に突出した吐水口金６ａが手洗空間Ａに露出されるので、従来より手洗水の吐水箇所として認識され易い吐水口金６ａが使用者に容易に見出されるようにされており、この点でも使用者に手洗水の吐水箇所を容易に認識させて、手洗装置１の使用の際に不安を生じさせてしまう恐れが回避されているのである。
【図面の簡単な説明】
【００２０】
【図１】本発明の実施の形態の例の手洗装置の要部の側断面図である。
【図２】同上の手洗装置をトイレルームに設置した状態の斜視図である。
【図３】同上の手洗装置の要部の斜視図である。
【図４】従来技術の他例の手洗装置の斜視図である。
【図５】従来技術の更に他例の手洗装置であり、（ａ）は斜視図であり、（ｂ）は側断面図である。
【符号の説明】
【００２１】
１  手洗装置
２  ボウル部
３  バックガード
４  筒状突出部
５  手洗水供給管
６  吐水口
【図１】
2008237616.tif 000003
【図２】
2008237616.tif 000004
【図３】
2008237616.tif 000005
【図４】
2008237616.tif 000006
【図５】
2008237616.tif 000007